(57)【要約】【課題】介護の現場における排尿処理について、現状では、病床人が尿瓶に排尿後、介護人が都度、排尿をトイレに捨てている。病床人にとって、排尿の処理をすべて介護人に頼ることは、精神的に苦痛である。介護人や家族にとっても、病床人が、自分で排尿処理ができれば、介護の手間を大きく軽減できる。そこで、病床人が自分で排尿を処理できる排尿器具を発明した。【解決手段】従来の尿瓶本体の溜まり部の底部に管を取り付け、排尿後、排泄された尿が貯蔵容器へ流れ込むように工夫した。管はキャップ付で着脱可能な構造としてもよい。この発明により、尿瓶を使うことができて、尿意がはっきりしている病床人は、自分で排尿の処理ができるようになる。また、介護人は、排尿とその処理を病床人自身に任すことができるため、夜間などの、特に頻尿の病床人の介護に著しい軽減が見込まれる。【選択図】図１
2007089639.tif 000002
【特許請求の範囲】
【請求項１】
ベッド上等での排尿時に使用するための排尿器具であって、尿瓶形状の尿器と、前記尿器に結合された管と、排尿を貯蔵する貯蔵容器と、からなり、前記尿器は、排尿を溜める尿器本体と、前記尿器本体の一端に設けられた開口部と、尿器本体に前記管を接続するために形成された穴を備える、ことを特徴とする排尿器具。
【請求項２】
前記尿器を前記貯蔵容器より高い位置に保持するためのホルダーを備えたことを特徴とする請求項１に記載の排尿器具。
【請求項３】
前記ホルダーには、前記ホルダー内に収容した前記尿器本体に結合された前記管を外部に導出するために、前記管の通行を許容するガイド部が形成されていることを特徴とする請求項２に記載の排尿器具。
【請求項４】
前記尿器本体の開口部と反対側の一端に、前記管を着脱可能な筒口を設けたことを特徴とする請求項１又は２に記載の排尿器具。
【請求項５】
前記尿器本体の筒口に容易に着脱できるキャップを備えたことを特徴とする請求項４に記載の排尿器具。
【請求項６】
前記尿器本体の筒口に装着するキャップに管を結合したことを特徴とする請求項５に記載の排尿器具。
【請求項７】
前記尿器本体の筒口と前記キャップとが螺合可能に形成したことを特徴とする請求項５に記載の排尿器具。
【発明の詳細な説明】
【技術分野】
【０００１】
本発明は、病床人が、尿器を使用した後に自ら尿器内の排尿を処理できる排尿器具に関する。
【背景技術】
【０００２】
従来から、病院や福祉介護施設では、一般的に塩化ビニル樹脂製の手持ち式尿器が使用されている。例えば非特許文献１では、代表的な手持ち式尿器について開示されている。このような手持ち式尿器では、受尿部と蓄尿部が一体となっており、受尿部の形状は男性用と女性用で異なっている。
【非特許文献１】馬野化学容器株式会社  透明男尿器  透明女尿器  [online]  平成１７年９月１６日検索  インターネット＜URL：http://www.yamayu-umano.co.jp/s7_02.htm＞
【０００３】
病床人にとって、手持ち式尿器は、受尿部が広く安定しているので、座位でも立位でも使用でき、扱い易いなど多くの利点がある。また介護人にとっても、手持ち式尿器は、安価で、掃除が簡単であるなど、利点が多い。
【０００４】
一方、手持ち式尿器は、長時間陰部に当てた状態で使用することはできない上に、使用後は速やかに尿を処分しなければならない。また、受尿部から尿を捨てるので、処分後は速やかに受尿部を洗浄する必要がある。これらの処理は、病床人にとって不可能なことが多いので，介護人に依頼する必要がある。
【０００５】
そのため、介護人は、病床人の排尿の都度呼び出されることになる。介護人にとって、排尿のたびに、尿瓶の始末をするように病床人から呼ばれるのは、精神的、肉体的にストレスを伴う。また病床人は、自分で排尿の始末ができないので、申し訳なさや後ろめたい気持ちになり、精神的にストレスをためることが多い。特に、頻尿の病床人の場合には、介護人は深夜に何度も起こされ、落ち着いて眠ることができない。
【０００６】
病床人が自分で尿を処理することのできる排尿器具としては、別体型の手持ち式収尿器が発売されている。受尿部と蓄尿部が別体になっており、管で接続されている。例えば、非特許文献２に男性用の手持ち式収尿器、女性用の手持ち式収尿器が開示されている。
【０００７】
このような別体型の手持ち式収尿器では、受尿部と蓄尿部は管で連結されており、受尿部を常に陰部へ当てた状態で使用する。
【０００８】
別体型の手持ち式収尿器を使用する利点は、寝たきりでも自分で排尿の処理ができて、蓄尿部に排尿を溜めておき、処理を待つことができるので、排尿の度に介護人を呼ばなくても済むことである。
【０００９】
別体型の手持ち式収尿器は、使用に慣れが必要であり、人によっては、尿道口がうまく合わないといった欠点がある。また、管が汚染されやすく、掃除が困難で、受尿部と蓄尿部は、段差が必要である。更に、受尿部は、尿を溜める構造になっていないため、管の位置によっては尿が逆流する恐れがある。また、女性の座位での使用が困難である。
【００１０】
【非特許文献２】コンビウェルネス株式会社  安楽尿器ＤＸ（男性用）  安楽尿器ＤＸ（女性用）  [online]  平成１７年９月１６日検索  インターネット＜URL：http://www.combi-wellness.co.jp/well/＞
【００１１】
尿の逆流を防止するために、排尿を吸引する排尿器具も発明されている。
【特許文献１】特開２００４−２４２７７９
【００１２】
特許文献１で開示された排尿器具は、駆動モータ、給水ポンプ、排水ポンプが収納された携帯型の収納ボックスと、前記２つのポンプにそれぞれ接続された送水管および排水管が連通して設けられた排尿器と、を備えている。この排尿器は、送水管から送出される洗浄水が吐出される吐出口が設けられた筒部と、前記筒部に接続され前記排水管が連通して設けられた尿を溜める袋体からなり、この袋体に洗浄水を流しながら排尿を行い、モータで自動吸引するというものである。
【００１３】
排尿という行為は、非常にデリケートで神経を使う行為である。一般的な尿瓶ですら、慣れないうちは、ベッドの上で使用できない。まして、モータによる吸引に不安を感じては、病床人は落ち着いて排尿できない。
【００１４】
病床人が、排尿しようとして、受尿部として形成されたコップ状の容器に陰部を当て、放尿を開始し、モータのスイッチを入れた瞬間、モータが音をたてて始動し、コップに溜まり始めた尿が一気に吸い取られる。病床人が、思わずビクッとして体を縮めた瞬間、放尿が停止する恐れがある。一度放尿が停止した後では、放尿の再開は困難である。
【００１５】
また、自らの陰部もコップと一緒に吸い取られ、抜けなくなるのではないかと不安にかられ、放尿の継続が不可能になるかもしれない。あるいは、本当にコップが自らの陰部へ吸い付き悲惨な状況を迎えるかもしれない。
【００１６】
排尿器具の受尿部が小さく、受尿部自身で自立できない構造になっていると、排尿中に受尿部を手で保持する必要がある。例えば、特許文献１のような排尿器具では、片方の手を、排尿器具の保持に使用する必要がある。体力の衰えた病床人にとって、小さな受尿部へ正確に放尿することは困難であり、もう片方の手でベッドの柵を掴んで身体全体の姿勢を保持する必要がある。片手の不自由な病床人にとっては、特許文献１のような排尿器具の使用は難しい。
【００１７】
尿意があり、ベッドで起き上がることの出来る病床人にとって、排尿器具は、病床人自身で扱うことが可能で、排尿は病床人自身で実施可能でなければならない。更に、排尿においては、最後の一滴まで完璧に排尿し、行為が完全に完了した後に、病床人自身で処理できなければならない。
【００１８】
そのためには、排尿器具は、手で持たずともベッドに置いたままで使用可能であるように安定性が保たれている必要がある。病床人にとって、手で体を支えて、バランスを取りながら、排尿できることは重要である。
【００１９】
また、排尿器具は、病床人の排尿が完了するまで、十分な量の尿を蓄積できる必要がある。排尿が終わりに近づいたとき、排尿器具から尿が漏れ出しては一大事である。
【００２０】
更に、排尿器具は、病床人の排尿中に、尿が溜まっていくと、排尿器具の重心が蓄尿部へと移動するが、その際に手で支えなくとも自立しているような構造である必要がある。排尿が終わりに近づいたとき、排尿器具が傾いて、尿が漏れ出しては一大事である。
【発明の開示】
【発明が解決しようとする課題】
【００２１】
本発明における排尿器具は、このような問題を解決しようとするものである。本発明は、尿瓶を使うことができて、尿意がはっきりしている病床人が、自分で排尿の処理を行えることで、病床人の自立性を助けて、排尿処理をすべて介護人に頼るという精神的な苦痛から開放されることを目的としたものである。
【００２２】
そのために、自分で排尿処理できるように尿器本体に管を取り付け、尿器等の洗浄が容易になるようパーツごとに分解して、洗浄できるようにした。また、本発明は、病床人が排尿のたびに、介護人にかかる排尿処理の負担を軽減するための排尿器具を提供するものである。
【課題を解決するための手段】
【００２３】
本発明は上記目的を達成するために、以下の構成を備えたものである。ベッド上等での排尿時に使用するための排尿器具であって、尿瓶形状の尿器と、前記尿器に結合された管と、排尿を貯蔵する貯蔵容器と、からなり、前記尿器は、排尿を溜める尿器本体と、前記尿器本体の一端に設けられた開口部と、尿器本体に前記管を接続するために穴を形成した。排尿後に、前記尿器を貯蔵容器より高い位置に持ち上げれば、前記尿器内の排尿は管を通り貯蔵容器へと自然に排出される。
【００２４】
第２の発明は、前記尿器を前記貯蔵容器より高い位置に保持するためのホルダーを備えた。排尿後または非使用時に、前記尿器は貯蔵容器より高い位置に保持されるように、本発明にホルダーを追加した。前記尿器を貯蔵容器より高い位置に保持するようにしたことで、前記尿器内の排尿は管を通り貯蔵容器へ自然に排出される仕組みである。
【００２５】
第３の発明は、前記ホルダーには、前記ホルダー内に収容した前記尿器本体に結合された前記管を外部に導出するために、前記管の通行を許容するガイド部を形成した。また、前記尿器の形状は前記ホルダーに収めやすいように、容器の外径が同じものを使用する。
【００２６】
第４の発明は、前記尿器本体の開口部と反対側の一端に、前記管を着脱可能な筒口を設けて、前記筒口と前記管の着脱を可能とした。
【００２７】
第５の発明は、前記尿器本体の筒口に容易に着脱できるキャップを備え、前記管を取り外したとき、前記筒口にキャップを装着して、尿器単体で使用可能にしたものである。
【００２８】
第６の発明は、前記尿器本体の筒口に装着するキャップに管を結合したものであり、前記キャップと前記管の一方の端を接続し、前記筒口との着脱を容易にした。
【００２９】
第７の発明は、前記尿器本体の筒口と前記キャップとが螺合可能に形成した。前記筒口に雄ネジを、前記キャップに雌ネジを形成し、ネジで尿器本体と前期管の着脱を行うようにしたものである。
【発明の効果】
【００３０】
上記の課題解決手段による効果は、従来から使用されている尿瓶または持ち手付尿器の溜まり部の底部に穴を設けたことで、尿の排出を簡単に行うことができる、というものである。すなわち、尿を受けるレシーバとしての機能だけでなく、前記尿器側を、排尿を溜めた後に、排尿の排出を行うという機能を持たせたところに特徴がある。前記尿器本体に結合された管と、管の他端に結合された貯蔵容器とからなる構成により、排尿の処理をストレスなく行うことが可能になる。
【００３１】
本発明により、尿意がはっきりしている病床人は、自分で排尿の処理ができるようになる。また、病床人は、自分で排尿の始末ができるようになると、介護人に対する申し訳なさや後ろめたい気持ちから開放されるなど、精神面での効果が期待できる。一方、介護人は、排尿とその処理を病床人自身に任すことができるため、夜間などの、特に頻尿の病床人の介護に著しい軽減が見込まれる。
【００３２】
第２の発明では、前記尿器を使用後に、ホルダーへ収めると、前記尿器内の排尿は管を通り貯蔵容器へ自動的に流れ込むことになる。病床人にとっては、前記尿器内の排尿を処理する動作と尿器を収める動作を同時に実行できる。
【００３３】
第３の発明は、病床人が前記尿器を使用しようとして、ホルダーから尿器を取り出すときに、管などが引っかからないようにガイドを設けたものである。病床人にとっては、前記尿器を取り出すとき、管に注意しなくてもよいので、楽に取り出すことができる。特に夜中に排尿するときなど、灯りを明るくしなくても尿器を取り出すことができる。灯りを明るくしなくてもよいので、周囲の患者さんへ迷惑をかけずに済む。また、病床人自身も事後には、すぐに眠りに付くことができる。
【００３４】
第４の発明では、前記筒口と管が容易に分離できるので、前記尿器の洗浄が容易になる。特に管の部分は、アンモニアが浸み込んで臭いが抜けなくなったり、変色したりすることが多い。漂白剤などで浸け置き洗いをするなど、洗浄が容易になる。
【００３５】
第５の発明では、前記筒口にキャップを装着しているので、尿器単体で使用できる。筒口にキャップが備えてあれば、排尿を受尿部からではなく、筒口から捨てることが出来るので、受尿部を汚さなくても済む。従来は、介護人が、病床人が使用するたび毎に、受尿部を洗浄していたが、本発明により、尿器を使用した後、受尿部の洗浄を簡略化できるようになる。
【００３６】
第６の発明では、一般に市販されている水道の蛇口ジョイントと水道のホースなどを使用すると安価で、容易に排尿器具を作成できる。また、規格が統一されるので、病院などで、スペアを大量に準備してストックしておくこともできる。更に、定期的に取り替えて洗浄するなど、介護の手間の軽減も可能である。
【００３７】
第７の発明では、接合部をネジにすることで、更に製作単価を下げることができる。また、パッキンによる接合方法よりも強固に接続することができる。
【実施例】
【００３８】
発明の実施の形態として、実施例を図１〜図８に基づいて説明する。
【００３９】
[第１実施例]図１には、本発明の第１の実施例が示されている。これらの図において、排尿器具は、排尿に使用可能な尿瓶形状の持ち手３付尿器本体１と、尿器本体１に結合された管６と、排尿を貯蔵する貯蔵容器７とから構成されており、前記持ち手３付尿器本体１は尿器本体１の一端である上方に設けられた開口部２と、尿器本体１内の排尿の逆流を防ぐための溜まり部４と、溜まり部４に管６と接続するために形成された穴５を設けている。
【００４０】
尿器本体１は２Ｌ程度の容量で、尿器本体１の材料はガラス製、プラスチック製、ステンレス製があるが、透明なガラス製かプラスチック製であれば、尿の状態が分かりやすい。尿器本体１の溜まり部４の底部には穴５が開けられ、穴５には管６が直接繋がっており、その接合部分は排尿が漏れないように接合されている。管６は、水道用のホース６を使用しても良い。尿器本体１とホース６の接合方法は、水廻りの使用に適したエポキシ系接着剤で接合する。
【００４１】
更に、前記ホース６の他端は、排尿を溜める貯蔵容器７に接続されている。ホース６の長さは、ベッド上の病床人が不便なく使用できる長さとする。また、排尿後、尿器本体１を高く持ち上げて尿を排出させることができるように、ホース６の長さは適度に調整される。貯蔵容器７は、容量が１０Ｌ程度で、主用材質はポリプロピレンで、市販されている蓋付バケツを使用する。貯蔵容器７は持ち運べるように取手があり、排尿を処理するときにホース６と取り外しができる構造とするため、貯蔵容器７の蓋８にホース６が取り付けられている。
【００４２】
このような第１の実施例によれば、病床人は、この排尿器具を手の届く場所に置いておき、尿意を感じると、尿器本体１に排尿する。排尿した後、尿器本体１を持ち上げ、管６を通じて、排泄された尿を流す。
【００４３】
この実施例では、尿器を洗浄する回数が減るので、夏場など、尿器が臭ってくることが考えられる。臭気対策としては、排尿後に尿器内へコップ一杯の洗浄水を流し、受尿部へ蓋をすることで解決できる。
【００４４】
[第２実施例]図２には、本発明の第２の実施例が示されている。第１実施例で示された尿器本体１を、排尿後または非使用時に収めるためのホルダー９を設置した構成図である。ホルダー９は貯蔵容器７より高い位置に備え付けられており、実施例では、介護ベッドの近くの補助バー１１にホルダー９を掛けている。
【００４５】
[第３実施例]図３では、本発明の第３の実施例が示されている。ホルダー９は、ホース６が接合された尿器本体１を引っかかりのないように収めるためのガイド部１０を有していることを示している。この場合、尿器本体１の形状は、ホルダー９に納まりが良いように、持ち手３付きで細長く、容器の外径が同じものとする。
【００４６】
この実施例では、ベッド脇に掛けたホルダーに尿瓶が収めてあり、概観上美しくない。見舞いに来た人に、気持ちよく居ていただくためにも、尿瓶は出来るだけ隠したい。そこで、ホルダー９の周囲を蓋付きの布カバー等で覆えば、尿器本体１の目隠しになる。また、通気性のない布を使用すると、防臭効果に役立つ。
【００４７】
図４では、扉付きホルダー１２の実施例が示されている。扉付きホルダー１２はフック１３で固定され、側面に作られた花瓶１４に、季節の花を挿しておくと、病床人の気分を和らげることができる。また、ラベンダーなどのハーブ類を挿しておくと、防臭効果に加えて滅菌効果も期待できる。
【００４８】
病床人は、尿器本体１の使用後に、ガイド部１０をもつホルダー９に尿器本体１を収納する。尿器内に排泄された尿は、ホース６を通して貯蔵容器７に排出される。排尿の処理を誰にも頼らず自分で成し得ることは、病床人にとって大きな自信を与え、その結果、自立性が促されることにもなる。介護人にとっては、排尿の処理を病床人に委ねることができるので、介護の手間を少なからず軽減できる。
【００４９】
[第４実施例]図５には、本発明の第４の実施例が示されている。この実施例は、第１実施例にある尿器本体1に開けた穴５を、ホース６が着脱可能になるよう筒口１７に形成したところに特徴を有する。筒口１７にホース６を着脱する方法をとるため、尿器本体１の持ち運びや洗浄に便利である。
【００５０】
この実施例によれば、尿器本体１とホース６の取り外しが可能になり、尿器本体１の持ち運びや洗浄が容易になる。特に管の部分は、アンモニアが浸み込んで臭いが抜けなくなったり、変色したりすることが多い。管を取り外して、漂白剤などで浸け置き洗いをするなど、洗浄が容易になる。
【００５１】
[第５実施例]図６には、本発明の第５の実施例が示されている。図６における実施例は、前述の第４実施例における尿器本体１の溜まり部４の底部に形成された筒口１７に、キャップ１８を装着したものである。このように、排出後の尿器内に残った尿を漏らさないようにするためのキャップ１８を備えれば、洗浄の時、持ち運びが衛生的に行える。そして、従来の尿瓶と同様に、尿器本体１の単独での使用も可能になる。また、前記尿器の開口部２にもキャップを備えれば、臭気を防ぐことができる。
【００５２】
稀に飲尿療法を試みる病床人もいるが、完全介護の病院で、飲尿療法を継続することは困難である。もし、尿瓶に残った尿を飲もうとしたら、介護人に依頼して、尿をコップなどへ残しておいてもらう必要がある。しかし、飲尿療法に協力的な介護人は少ないので、通常は、医師へ密告されて、厳重注意を受けることになる。
本発明による尿器を使用すると、排尿後にキャップ１８をはずすだけで、筒口１７から、コップへと容易に尿を汲み取ることが出来、病床人は、飲尿療法を継続することもできる。
【００５３】
[第６実施例]図７には、本発明の第６の実施例が示されている。図７における実施例は、第５実施例におけるキャップ１８に直接ホース６を結合したもので、第３実施例よりもホース６の着脱が容易になる。
【００５４】
図８には、第６実施例で述べた尿器本体１に形成された筒口１７を、外径１４〜１７ｍｍにしたことを特徴としたことを示している。市販されている蛇口ジョイント２０などにホース６を取り付けて、筒口１７と接続する。既述の第４実施例と比べて、市販されている蛇口ジョイント２０が使用できるため、尿器本体１とホース６の着脱が容易に行える。
【００５５】
[第７実施例]図９には、本発明の第７の実施例について、全体像が示されている。図１０には、尿器本体１とキャップ１８およびホース６との接合部分の詳細が示されている。
前述の実施例５の筒口１７をネジ式とし、同様にキャップ１８の内側へネジを設け、筒口１７とキャップ１８とがネジで接合する。キャップ１８をネジで締め付けるときに、ゴムパッキン２１を挟んで筒口１７とホース６が密着し、排尿が漏れない仕組みとなっている。本実施例は、前述の実施例６と比較すると、部品点数も少なく、安価に製造でき、接合力も強い。
【図面の簡単な説明】
【００５６】
【図１】本発明の第１実施例に係る排尿器具の全体図
【図２】第２実施例に係る排尿器具使用時の一実施形態の外観図
【図３】第３実施例に係る尿器本体を収めるためのホルダー
【図４】第３実施例に係る扉付きホルダー
【図５】第４実施例に係る排尿器具の尿器本体と管の接続図
【図６】第５実施例に係る排尿器具の尿器本体にキャップを備えた図
【図７】第６実施例に係る尿器に接合するキャップ付ホースの接続図
【図８】第６実施例に係る尿器とホースの接続部分の断面図
【図９】第７実施例に係る筒口とキャップをネジ式にした接続図
【図１０】第７実施例に係る尿器と管の接続部分の断面図
【符号の説明】
【００５７】
１    尿器本体
２    開口部
３    持ち手
４    溜まり部
５    穴
６    管、ホース
７    貯蔵容器
８    蓋
９    ホルダー
１０  ガイド部
１１  補助バー
１２  扉付きホルダー
１３  扉付きホルダー用フック
１４  花瓶
１５  花瓶用フック
１６  花瓶用フックの穴
１７  筒口
１８  キャップ
１９  キャップ付管
２０  蛇口ジョイント
２１  ゴムパッキン
２２  管ニップル
２３  管ロックナット
２４  ツメ付きリング
２５  ネジ
【図１】
2007089639.tif 000003
【図２】
2007089639.tif 000004
【図３】
2007089639.tif 000005
【図４】
2007089639.tif 000006
【図５】
2007089639.tif 000007
【図６】
2007089639.tif 000008
【図７】
2007089639.tif 000009
【図８】
2007089639.tif 000010
【図９】
2007089639.tif 000011
【図１０】
2007089639.tif 000012